(57)【特許請求の範囲】
【請求項１】
端末とサーバとがネットワークを介して接続され、利用者の注文に応じて画像をプリントする画像プリントシステムであって、
前記端末が、
画像データを入力する入力手段と、
前記画像データに対する編集を指示する為の複数の編集アイテムを含む編集画面を表示し、利用者による前記編集アイテムの選択に応じて前記画像データの編集を行なう編集手段と、
前記編集手段において選択された前記編集アイテムの識別情報を、前記利用者の識別情報とともに、前記サーバに送信する送信手段と、
を具備し、
前記サーバが、
受信する前記編集アイテムの識別情報と、受信する前記利用者の識別情報とを対応付けて記憶する記憶手段と、
前記編集アイテムの中から、定期的に、当選編集アイテムを決定する決定手段と、
前記端末から、前記利用者の識別情報に基づくログイン処理後に表示される画面であるログイン後画面の表示要求を、予め定めた当選確認期間内に、受信すると、前記記憶手段において前記当選編集アイテムに相当する前記編集アイテムの識別情報と対応付けられている前記利用者の識別情報を抽出し、抽出した前記利用者の識別情報の中に受信した前記利用者の識別情報が含まれている場合には、当選情報を含めて前記ログイン後画面のデータを前記端末に送信する通知手段と、
を具備することを特徴とする画像プリントシステム。
【請求項２】
端末とサーバとがネットワークを介して接続され、利用者の注文に応じて画像をプリントする画像プリントシステムであって、
前記端末が、
画像データを入力する入力手段と、
前記画像データに対する編集を指示する為の複数の編集アイテムを含む編集画面を表示し、利用者による前記編集アイテムの選択に応じて前記画像データの編集を行なう編集手段と、
前記編集手段において選択された前記編集アイテムの識別情報を、前記利用者の識別情報とともに、前記サーバに送信する送信手段と、
を具備し、
前記サーバが、
受信する前記編集アイテムの識別情報と、受信する前記利用者の識別情報と、前記利用者のメールアドレスとを対応付けて記憶する記憶手段と、
前記編集アイテムの中から、定期的に、当選編集アイテムを決定する決定手段と、
前記記憶手段において前記当選編集アイテムに相当する前記編集アイテムの識別情報と対応付けられている前記利用者の識別情報を抽出し、前記当選編集アイテムの抽選期間内に発注した前記利用者である場合には、当該利用者のメールアドレスを宛先として、当選情報を含めた電子メールを送信する通知手段と、
を具備することを特徴とする画像プリントシステム。
【請求項３】
端末とサーバとがネットワークを介して接続され、利用者の注文に応じて画像をプリントする画像プリントシステムにおける画像プリント方法であって、
前記端末が、画像データを入力する入力ステップと、
前記端末が、前記画像データに対する編集を指示する為の複数の編集アイテムを含む編集画面を表示し、利用者による前記編集アイテムの選択に応じて前記画像データの編集を行なう編集ステップと、
前記端末が、前記編集ステップにおいて選択された前記編集アイテムの識別情報を、前記利用者の識別情報とともに、前記サーバに送信する送信ステップと、
前記サーバが、受信する前記編集アイテムの識別情報と、受信する前記利用者の識別情報とを対応付けて記憶する記憶ステップと、
前記サーバが、前記編集アイテムの中から、定期的に、当選編集アイテムを決定する決定ステップと、
前記サーバが、前記端末から、前記利用者の識別情報に基づくログイン処理後に表示される画面であるログイン後画面の表示要求を、予め定めた当選確認期間内に、受信すると、前記記憶ステップにおいて前記当選編集アイテムに相当する前記編集アイテムの識別情報と対応付けられている前記利用者の識別情報を抽出し、抽出した前記利用者の識別情報の中に受信した前記利用者の識別情報が含まれている場合には、当選情報を含めて前記ログイン後画面のデータを前記端末に送信する通知ステップと、
を含むことを特徴とする画像プリント方法。
【請求項４】
端末とサーバとがネットワークを介して接続され、利用者の注文に応じて画像をプリントする画像プリントシステムにおける画像プリント方法であって、
前記端末が、画像データを入力する入力ステップと、
前記端末が、前記画像データに対する編集を指示する為の複数の編集アイテムを含む編集画面を表示し、利用者による前記編集アイテムの選択に応じて前記画像データの編集を行なう編集ステップと、
前記端末が、前記編集ステップにおいて選択された前記編集アイテムの識別情報を、前記利用者の識別情報とともに、前記サーバに送信する送信ステップと、
前記サーバが、受信する前記編集アイテムの識別情報と、受信する前記利用者の識別情報と、前記利用者のメールアドレスとを対応付けて記憶する記憶ステップと、
前記サーバが、前記編集アイテムの中から、定期的に、当選編集アイテムを決定する決定ステップと、
前記サーバが、前記記憶ステップにおいて前記当選編集アイテムに相当する前記編集アイテムの識別情報と対応付けられている前記利用者の識別情報を抽出し、前記当選編集アイテムの抽選期間内に発注した前記利用者である場合には、当該利用者のメールアドレスを宛先として、当選情報を含めた電子メールを送信する通知ステップと、
を含むことを特徴とする画像プリント方法。
【発明の詳細な説明】
【技術分野】
【０００１】
本発明は、利用者の注文に応じて画像をプリントする画像プリントシステム等に関する。
【背景技術】
【０００２】
近年、利用者が持ち込んだ記憶媒体に記録されている画像データをプリントしたり、その入力した画像データの編集や合成を行ったうえでプリントしたり、様々な付加価値やサービスを組み合わせた画像プリントシステムが実用化されている。
【０００３】
例えば、特許文献１では、ポイント等の顧客管理機能やポイントに応じてゲーム等のコンテンツを提供する機能やコンテンツの実施結果に応じて割引等のサービスを提供する画像プリントシステムが提案されている。また、特許文献２では、印刷注文枚数や注文金額に応じて、おまけの写真やクーポンが印刷可能な画像プリントシステムが提案されている。
【０００４】
さらに、画像データの編集や合成には、スタンプを押したり、画像を縁取るフレームを付けたり、手書き文字の書込みを行ったり、テンプレート画像を挿入したりする、いわゆる「落書き」と呼ばれる機能を備えたものが一般的になっており、例えば特許文献３では、落書き機能を利用して、よりオリジナルな画像編集と合成ができるシールプリント機が提案されている。
【先行技術文献】
【特許文献】
【０００５】
【特許文献１】特開２００５−２０８８７０号公報
【特許文献２】特開２００８−０８４２８１号公報
【特許文献３】特開２００７−３３４１６５号公報
【発明の概要】
【発明が解決しようとする課題】
【０００６】
このように画像プリントシステムにおいて、利用者を飽きさせないようにするためにゲーム性を持たせてくじ引きや抽選機能、落書き機能を付加させたものが多くあるが、利用者が当たり券の申告や抽選応募の作業を画像編集処理やプリント処理とは別に行う方法では、利用者の作業負担が大きくなるという課題があった。一方で、予め定められたおまけ機能やサービスを付加すると、利用時のワクワク感やサプライズ感がないためにリピートオーダーにつながらないという課題があった。
【０００７】
本発明は、前述した問題点に鑑みてなされたもので、その目的とするところは、利用者が負担やストレスなく楽しく画像プリントの注文ができ、リピートオーダーにつなげることができる付加価値のある画像プリントシステムを提供することである。
【課題を解決するための手段】
【０００８】
前述した目的を達成するために、第１の発明は、端末とサーバとがネットワークを介して接続され、利用者の注文に応じて画像をプリントする画像プリントシステムであって、前記端末が、画像データを入力する入力手段と、前記画像データに対する編集を指示する為の複数の編集アイテムを含む編集画面を表示し、利用者による前記編集アイテムの選択に応じて前記画像データの編集を行なう編集手段と、前記編集手段において選択された前記編集アイテムの識別情報を、前記利用者の識別情報とともに、前記サーバに送信する送信手段と、を具備し、前記サーバが、受信する前記編集アイテムの識別情報と、受信する前記利用者の識別情報とを対応付けて記憶する記憶手段と、前記編集アイテムの中から、定期的に、当選編集アイテムを決定する決定手段と、前記端末から、前記利用者の識別情報に基づくログイン処理後に表示される画面であるログイン後画面の表示要求を、予め定めた当選確認期間内に、受信すると、前記記憶手段において前記当選編集アイテムに相当する前記編集アイテムの識別情報と対応付けられている前記利用者の識別情報を抽出し、抽出した前記利用者の識別情報の中に受信した前記利用者の識別情報が含まれている場合には、当選情報を含めて前記ログイン後画面のデータを前記端末に送信する通知手段と、を具備することを特徴とする画像プリントシステムである。第１の発明によって、利用者が通常行う画像編集処理の中で選択した編集アイテムに応じた抽選機能を持たせることで、利用者が特別な作業や負担がなく楽しみながら利用することができる。
【０００９】
また、これにより、利用者は当選情報の確認や景品を享受するために画像プリントシステムに会員登録するとともに、定期的にログインして利用することになり、利用者の維持やリピートオーダーにつなげることができる。
【００１０】
第２の発明は、端末とサーバとがネットワークを介して接続され、利用者の注文に応じて画像をプリントする画像プリントシステムであって、前記端末が、画像データを入力する入力手段と、前記画像データに対する編集を指示する為の複数の編集アイテムを含む編集画面を表示し、利用者による前記編集アイテムの選択に応じて前記画像データの編集を行なう編集手段と、前記編集手段において選択された前記編集アイテムの識別情報を、前記利用者の識別情報とともに、前記サーバに送信する送信手段と、を具備し、前記サーバが、受信する前記編集アイテムの識別情報と、受信する前記利用者の識別情報と、前記利用者のメールアドレスとを対応付けて記憶する記憶手段と、前記編集アイテムの中から、定期的に、当選編集アイテムを決定する決定手段と、前記記憶手段において前記当選編集アイテムに相当する前記編集アイテムの識別情報と対応付けられている前記利用者の識別情報を抽出し、前記当選編集アイテムの抽選期間内に発注した前記利用者である場合には、当該利用者のメールアドレスを宛先として、当選情報を含めた電子メールを送信する通知手段と、を具備することを特徴とする画像プリントシステムである。第２の発明によって、利用者が通常行う画像編集処理の中で選択した編集アイテムに応じた抽選機能を持たせることで、利用者が特別な作業や負担がなく楽しみながら利用することができる。
【００１１】
また、これにより、利用者は当選情報の確認や景品を享受するために画像プリントシステムに会員登録して定期的に利用することになり、利用者の維持やリピートオーダーにつなげることができる。
【００１２】
第３の発明は、端末とサーバとがネットワークを介して接続され、利用者の注文に応じて画像をプリントする画像プリントシステムにおける画像プリント方法であって、前記端末が、画像データを入力する入力ステップと、前記端末が、前記画像データに対する編集を指示する為の複数の編集アイテムを含む編集画面を表示し、利用者による前記編集アイテムの選択に応じて前記画像データの編集を行なう編集ステップと、前記端末が、前記編集ステップにおいて選択された前記編集アイテムの識別情報を、前記利用者の識別情報とともに、前記サーバに送信する送信ステップと、前記サーバが、受信する前記編集アイテムの識別情報と、受信する前記利用者の識別情報とを対応付けて記憶する記憶ステップと、前記サーバが、前記編集アイテムの中から、定期的に、当選編集アイテムを決定する決定ステップと、前記サーバが、前記端末から、前記利用者の識別情報に基づくログイン処理後に表示される画面であるログイン後画面の表示要求を、予め定めた当選確認期間内に、受信すると、前記記憶ステップにおいて前記当選編集アイテムに相当する前記編集アイテムの識別情報と対応付けられている前記利用者の識別情報を抽出し、抽出した前記利用者の識別情報の中に受信した前記利用者の識別情報が含まれている場合には、当選情報を含めて前記ログイン後画面のデータを前記端末に送信する通知ステップと、を含むことを特徴とする画像プリント方法である。第３の発明によって、利用者が通常行う画像編集処理の中で選択した編集アイテムに応じた抽選機能を持たせることで、利用者が特別な作業や負担がなく楽しみながら利用することができる。また、利用者は当選情報の確認や景品を享受するために画像プリントシステムに会員登録するとともに、定期的にログインして利用することになり、利用者の維持やリピートオーダーにつなげることができる。
【００１３】
第４の発明は、端末とサーバとがネットワークを介して接続され、利用者の注文に応じて画像をプリントする画像プリントシステムにおける画像プリント方法であって、前記端末が、画像データを入力する入力ステップと、前記端末が、前記画像データに対する編集を指示する為の複数の編集アイテムを含む編集画面を表示し、利用者による前記編集アイテムの選択に応じて前記画像データの編集を行なう編集ステップと、前記端末が、前記編集ステップにおいて選択された前記編集アイテムの識別情報を、前記利用者の識別情報とともに、前記サーバに送信する送信ステップと、前記サーバが、受信する前記編集アイテムの識別情報と、受信する前記利用者の識別情報と、前記利用者のメールアドレスとを対応付けて記憶する記憶ステップと、前記サーバが、前記編集アイテムの中から、定期的に、当選編集アイテムを決定する決定ステップと、前記サーバが、前記記憶ステップにおいて前記当選編集アイテムに相当する前記編集アイテムの識別情報と対応付けられている前記利用者の識別情報を抽出し、前記当選編集アイテムの抽選期間内に発注した前記利用者である場合には、当該利用者のメールアドレスを宛先として、当選情報を含めた電子メールを送信する通知ステップと、を含むことを特徴とする画像プリント方法である。第４の発明によって、利用者が通常行う画像編集処理の中で選択した編集アイテムに応じた抽選機能を持たせることで、利用者が特別な作業や負担がなく楽しみながら利用することができる。また、利用者は当選情報の確認や景品を享受するために画像プリントシステムに会員登録して定期的に利用することになり、利用者の維持やリピートオーダーにつなげることができる。
【発明の効果】
【００１４】
本発明により、利用者が負担やストレスなく楽しく画像プリントの注文ができ、リピートオーダーにつなげることができる付加価値のある画像プリントシステムを提供することできる。
【図面の簡単な説明】
【００１５】
【図１】第１の実施の形態としての画像プリントシステム１の構成例を示す図
【図２】サーバ２（端末３）のハードウェア構成例を示す図
【図３】サーバ２に格納される注文ログデータレコード２０の例を示す図
【図４】画像プリントシステム１の一連の処理を説明するフローチャート図
【図５】端末３で表示されるサムネール画面３０の一例を示す図
【図６】端末３で表示される落書き画面４０の操作前の一例を示す図
【図７】端末３で表示される落書き画面４０の操作後の一例を示す図
【図８】画像プリントシステム１の当選情報の通知（ホームページ上）の一連の処理を説明するフローチャート図
【図９】端末３で表示される当選通知の一例を示す図
【図１０】サーバ２に格納される顧客データレコード７０の例を示す図
【図１１】画像プリントシステム１の当選情報の通知（メール送信）の一連の処理を説明するフローチャート図
【図１２】第２の実施の形態としての画像プリント装置１００の外観斜視図の一例を示す図
【図１３】画像プリント装置１００のハードウェアの構成例を示すブロック図
【図１４】画像プリント装置１００の一連の処理を説明するフローチャート図
【発明を実施するための形態】
【００１６】
以下、図面に基づいて、本発明に係る画像プリントシステム等の好適な実施形態について詳細に説明する。
【００１７】
［第１の実施の形態］
図１から図１１を参照しながら、第１の実施の形態について説明する。
図１は、第１の実施の形態としての画像プリントシステム１のシステム構成例を示す図である。図１に示すように、画像プリントシステム１は、端末３とネットワーク５を介して接続されるサーバ２とから構成される。ネットワーク５は、ＬＡＮ（Ｌｏｃａｌ  Ａｒｅａ  Ｎｅｔｗｏｒｋ）、インターネット等である。端末３は、利用者からの画像データ入力および画像データの編集、注文内容入力を受付け、サーバ２に送信する。サーバ２は、端末３より受信した注文のログデータを記録して、当選編集アイテムを決定し、当選情報を端末３に送信する。そして端末３は、サーバ２から受信した当選情報を表示する。尚、端末３の数は任意であり、図１に示されるように一つに限られるものではない。
【００１８】
図２は、サーバ２および端末３のハードウェア構成図である。尚、図２のハードウェア構成は一例であり、用途、目的に応じて様々な構成を採ることが可能である。サーバ２（端末３）を実現するコンピュータは、制御部１１、記憶部１２、メディア入出力部１３、通信制御部１４、入力部１５、表示部１６、周辺機器Ｉ／Ｆ部１７等が、バス１８を介して接続される。
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部１２、ＲＯＭ、記録媒体等に格納されるプログラムをＲＡＭ上のワークメモリ領域に呼び出して実行し、バス１８を介して接続された各装置を駆動制御し、サーバ２（端末３）が行う後述する処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００１９】
記憶部１２は、ＨＤＤ（ハードディスクドライブ）であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。
これらの各プログラムコードは、制御部１１により必要に応じて読み出されてＲＡＭに移され、ＣＰＵに読み出されて各種の手段として実行される。
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部１４は、通信制御装置、通信ポート等を有し、コンピュータとネットワーク間の通信を媒介する通信インタフェースであり、ネットワーク５を介して、他のコンピュータ間との通信制御を行う。ネットワーク５は、有線、無線を問わない。
【００２０】
入力部１５は、データの入力を行い、例えば、キーボード、マウス等のポインティングデバイス、テンキー等の入力装置を有する。
入力部１５を介して、コンピュータに対して、操作指示、動作指示、データ入力等を行うことができる。
表示部１６は、ＣＲＴモニタ、液晶パネル等のディスプレイ装置、ディスプレイ装置と連携してコンピュータのビデオ機能を実現するための論理回路等（ビデオアダプタ等）を有する。
周辺機器Ｉ／Ｆ（インタフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス１８は、各装置間の制御信号、データ信号等の授受を媒介する経路である。
【００２１】
図３は、サーバ２に格納される注文ログデータレコード２０の例を示す図である。注文ログデータレコード２０は、利用者が注文した画像プリントの注文内容のデータ構造を示している。
注文ログデータレコード２０は、オーダーＩＤ２１、顧客ＩＤ２２、製品２３、製品２３の単価２４、製品２３の数量２５、オプション種類２６ａ、オプション種類２６ａの数量２７ａ、オプション種類２６ｂの数量２７ｂ、オプション種類２６ｃの数量２７ｃから構成される。
製品２３とは、例えば、製品名であり、製品２３の値によって単価２４は決定される。オプション種類とは、例えば、利用者が画像データ編集の際に、製品２３に使用した編集アイテムの識別番号等である。
尚、オプション種類２６（ａ〜ｃ）とその数量２７（ａ〜ｃ）は組で構成されるものであり、また一つのオーダーＩＤのレコード内において、その組数は任意であり、図３で示すようにａ〜ｃに限られるものではない。
【００２２】
図４のフローチャート図を参照しながら、画像プリントシステム１の一連の処理を説明する。画像プリントシステム１の一連の処理の中で端末３に表示する具体的な画面の例として、図５〜図７を合わせて参照しながら説明する。
まず、端末３の制御部１１は表示部１６上に、注文を受け付けるサービス内容や手順、案内等を示すメニュー画面を表示し、利用者に機能を選択させる（ステップ不図示）。
【００２３】
例えば、利用者は、サービス（その場プリント、インデックスプリント、フレームプリント等）、入力メディア（例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial
Bus）メモリ等）を選択する。利用者によりサービス内容、支払い方法が指定されると、端末３は指定された情報を記憶部１２に設定する。
【００２４】
次に、利用者が端末３のメディア入出力部１３より画像データの入った入力メディアを挿入すると、端末３は、注文受付の処理を開始する。端末３の制御部１１はメディア入出力部１３に挿入された入力メディアより画像データを読み取り、記憶部１２に格納する（ステップＳ１０１）。
続いて制御部１１は、読み取った入力画像データのサムネール画像を表示部１６に表示する。具体的には、端末３は表示部１６に、例えば、図５に示すサムネール画面３０を表示する。
【００２５】
ここで図５のサムネール画面３０について説明する。
サムネール画面３０には、制御部１１がステップＳ１０１で読み取った画像データの一覧（画像３１等）と、各画像データに対して施すことができる加工や編集項目のメニュー等が配置される。
例えば、サムネール画面３０には、画像のサイズ変更や編集加工を行う図６の落書き画面４０（後述）に遷移するための「拡大・編集」ボタン３２があり、利用者が、画像３１を選択した状態で「拡大・編集」ボタン３２を押下すると、落書き画面（操作前）４０に遷移し、画像３１の編集加工をすることができる。また、サムネール画面３０は、落書き画面（操作前）４０に遷移したのち、画像の編集加工を完了した画像については「編集済み」マーク３４を表示する。
さらに、サムネール画面３０の各画像（画像３１等）の下部には、その画像のプリント部数を入力する「プリント部数増減」ボタン３３や部数をテキスト入力する枠があり、利用者は、「プリント部数増減」ボタン３３を押下したり、プリント部数を直接入力することで、各画像（画像３１等）のプリント部数をそれぞれ決定することができる。
【００２６】
図４に戻り、端末３において、利用者は前述の図５のサムネール画面３０から各画像（画像３１等）を選択し、「拡大・編集」ボタン３２を押すことにより、図６の落書き画面（操作前）４０に遷移し、画像の編集加工を行う（ステップＳ１０２）。具体的に、各画像（画像３１等）の編集加工の操作について、図６と図７を参照しながら説明する。
図６は画像の編集加工を行う落書き画面の操作前の画面で、図７は操作後の画面の一例である。
【００２７】
図６の落書き画面（操作前）４０には、中央に操作対象となる画像４１が配置され、そのまわりに落書き操作の指示を行うための編集アイテムのボタン類が配置される。画像４１の左側には画像４１の上に線描写や図形描写の操作指示を行うための描写ツールボタン４２が表示され、右側には、画像を部分的に消す消しゴムツールや各加工処理を元に戻すボタン等（４６）が表示される。画像４１の下部には、落書き描写に必要な操作パレットが表示される。
描写ツールボタン４２は、例えば、「ペン」、「スタンプ」、「コロコロスタンプ」、「フレーム」等を選択するボタンがある。
【００２８】
利用者が、「ペン」を選択すると、操作パレット上にペン先の色やテクスチャ等の一覧が表示され、それぞれを選択した後に、画像４１の任意の位置を指定して描くことで、画像４１の上に自由に線描することができる。
【００２９】
「スタンプ」を選択すると、操作パレット上に様々な模様や図形の画像等（画像４３等）が表示され、その一つの画像４３を選択した後に、画像４１の任意の位置を指定すると、そこに選択した画像４３が付加される。スタンプのサイズは操作パレット上のサイズ選択ボタン４４で選択することができる。また、利用者が、画像４１上にスタンプを配置したあとに、回転・反転ボタン４５を押下すると、スタンプ画像を回転したり、左右に反転したりすることができる。
【００３０】
「コロコロスタンプ」は、ローラー型スタンプの効果を生じるもので、「スタンプ」と同様に、利用者が操作パレット上から一つの画像４３を選択した後に、画像４１の任意の位置を指定することによりその位置にスタンプ画像４３が置かれ、そこから任意の方向にスタンプを引きずると、ローラー型スタンプが回転するのと同様の効果でスタンプ画像４３が繰り返し付けられる。
【００３１】
利用者が「フレーム」を選択すると、操作パレット上に様々なテクスチャのフレーム画像が表示され、その一つのフレーム画像を選択すると、画像４１を囲むようにフレーム画像が付加される。
【００３２】
このようにして、利用者が画像４１に対して、編集アイテムを利用して落書き操作を行った後の端末３の画面表示を図７に示す。
図７は、落書き画面（操作後）５０であり、中央の画像５１には、落書きして編集加工された状態が表示される。操作パレット上にはプレビューボタン５２がある。利用者は、プレビューボタン５２を押下すると、選択されている編集アイテム（図７では、星の１番目のアイテム）によって編集された画像５１を画面表示で確認することができる。
利用者は、画像５１の編集加工がこれで全て完了しても良い場合は落書き画面（操作後）５０の右下部にある完了ボタン５４を押下し、画像５１の全ての編集加工を無効にする場合は落書き画面（操作後）５０の左下部にあるキャンセルボタン５３を押下する。
端末３は、完了ボタン５４およびキャンセルボタン５３が押されると、図５のサムネール画面３０に戻る。この際、サムネール画面３０は、利用者が持参した入力画像から編集加工が加えられた場合は、入力画像はそのままに、編集加工した画像を別の画像として一覧に加え、編集済みマーク３４を付加する。
【００３３】
図４に戻り、利用者は全ての画像データの編集を完了し、各画像データのプリント部数を入力し終えて注文内容を確定する（ステップＳ１０３）と、端末３は注文内容をサーバ２に送信する。
【００３４】
サーバ２は、注文内容を受信すると、記憶部１２にある注文ログデータレコード２０に受信した注文ログデータを記録する（ステップＳ１０４）。注文ログデータには、利用者が落書き画面（操作後）５０で使用したスタンプ等の編集アイテムの種類と数量をオプション種類２６（ａ〜ｃ）と数量２７（ａ〜ｃ）が記録される。
尚、利用者は、本システムの会員になっていない場合、注文内容を確定する際に、画像プリントシステム１の会員となり、顧客ＩＤが与えられ、顧客ＩＤは注文内容と共に注文ログデータレコード２０に格納される。
【００３５】
次に、ステップＳ１０５において、サーバ２は編集アイテムの抽選をして、当たりの編集アイテム（当選編集アイテム）を決定する。さらにサーバ２は、注文ログデータレコード２０より、当選編集アイテムに該当するオプション種類２６（ａ〜ｃ）を使用していた顧客ＩＤ２２を検索し、当選者の顧客ＩＤ２２のリストを作成する。
【００３６】
ステップＳ１０６において、サーバ２は作成した当選者リストに基づいて当選情報を端末３に送信することにより、当選者に当選情報を通知する（通知の方法については後述する）。
端末３は当選情報を受信すると表示部１６に当選情報を表示する（ステップＳ１０７）。画像プリントシステム１は、当選者には割引券やクーポン等を発行したり、ポイント等を付与したりする。
【００３７】
ここでステップＳ１０６の当選者への当選情報通知の二通りの方法について説明する。
まず一つ目の方法として、画像プリントシステム１のトップ画面上で当選情報を通知する場合について図８と図９を参照しながら説明する。
【００３８】
図８は、当選通知の一連の処理を説明するフローチャート図である。
利用者が画像プリントシステム１にアクセスすると、端末３は表示部１６に会員用のログイン画面を表示する。利用者が顧客ＩＤ２２等の会員情報を入力すると、端末３はサーバ２に会員のログインを要求する（ステップＳ２０１）。サーバ２は会員情報を受信するとログインの認証を行う（ステップＳ２０２）。サーバ２は会員のログイン認証が取れると、記憶部１２に格納した当選者リストを検索し、利用者（会員）が当選しているかどうかを確認する。さらに、当選結果の情報を含めたトップ画面データを作成する（ステップＳ２０３）。サーバ２はステップＳ２０３で作成したトップ画面データを端末３に送信する（ステップＳ２０４）。トップ画面データを受信した端末３はトップ画面データを表示する（ステップＳ２０５）。
【００３９】
例えば、会員が当選者リストにある場合のトップ画面の表示の一例を、図９に示す。
図９のトップ画面６０には、会員の情報と当選情報６１が表示される。尚、画像プリントシステム１のトップ画面上で当選情報を通知する場合、サーバ２は定期的に当選編集アイテムの決定をし、予め定めた当選確認期間内に画像プリントシステム１にアクセスしてログインした当選者にのみ、割引券やクーポン等を発行したり、ポイント等を付与したりする。そうすることによって、利用者は当選確認のために定期的に画像プリントシステム１にログインするようになり、リピートオーダーにつなげることができる。
【００４０】
二つ目の通知方法として、メールで当選情報を通知する場合について図１０と図１１を参照しながら説明する。
【００４１】
図１０は、サーバ２に格納される顧客データレコード７０の例を示す図である。
顧客データレコード７０は、顧客ＩＤ７１とそのメールアドレス７２から構成される。メールアドレス７２は、利用者が画像プリントシステム１の会員として登録する際、すなわち、利用者が画像プリントシステム１で初めて注文をする際に、端末３が、会員登録の必要項目としてメールアドレス７２の入力を受付け、サーバ２に送信する。サーバ２は受信した顧客ＩＤ７１とメールアドレス７２を記憶部１２の顧客データレコード７０に格納する。
【００４２】
図１１は、画像プリントシステム１の当選情報をメール送信により通知するサーバ２の一連の処理を説明するフローチャート図である。
サーバ２は、図４のステップＳ１０５において当選編集アイテムを決定した後、抽選結果（当選編集アイテムの情報）を取得し（ステップＳ３０１）、その当選編集アイテムの抽選期間内に発注した顧客ＩＤ２２を注文ログデータレコード２０より選択し（ステップＳ３０２）、その顧客ＩＤ２２のリストの中から当選編集アイテムに該当するオプション種類２６（ａ〜ｃ）を使用していた顧客ＩＤ２２をさらに検索する（ステップＳ３０３）。続いて、サーバ２は、ステップＳ３０４において、当選編集アイテムに該当するオプション種類２６（ａ〜ｃ）があるかどうかを判定する。サーバ２は、当選編集アイテムを使用していると判定した場合（ステップＳ３０４のＹｅｓ）、顧客データレコード７０のメールアドレス７２宛に当選した旨のメールを送信し（ステップＳ３０５）、使用していないと判定した場合（ステップＳ３０４のＮｏ）、次の顧客ＩＤ２２の注文ログデータレコード２０について調べる。サーバ２は全ての顧客データ処理が終了するまでこれを繰り返し（ステップＳ３０６）、処理を終了する。
【００４３】
尚、前述の二通りの当選情報通知は、抽選期間をおいて定期的に利用者に当選情報を通知するが、端末３において利用者が画像プリントを発注するのと同時に、サーバ２が、編集アイテムの抽選をして、その場で当選情報の通知を行うようにしてもよい。その際には、さらに端末３より利用者に対して、当選情報の通知と共に割引券やクーポン等を発行したり、ポイント等を付与したりすることもできる。
【００４４】
［第２の実施の形態］
次に、図１２〜図１４を参照しながら、第２の実施の形態について説明する。第２の実施の形態における画像プリント装置１００は、第１の実施の形態における端末３、サーバ２、プリンタの機能を一つの筐体として構成される。
【００４５】
まず、図１２は、第２の実施の形態に係る画像プリント装置１００の外観斜視図である。
画像プリント装置１００は、店頭において、入力メディア（記憶媒体）や携帯端末に記憶されている画像データの印刷を受け付け、印刷を行う端末である。画像プリント装置１００は、予め画像データが記憶された入力メディアや携帯端末（いずれも不図示）から画像データを取得し、内部に保持する。
【００４６】
入力メディアは、第１の実施の形態と同様である。
携帯端末は、例えば、携帯電話機、携帯型パーソナルコンピュータ、スマートフォン、タブレット端末等である。画像プリント装置１００と携帯端末との通信方法は、例えば、blue tooth（登録商標）、IR（赤外線通信）等である。
【００４７】
画像プリント装置１００の上部正面には、タッチパネル付ディスプレイ１１１が配置されている。タッチパネル付ディスプレイ１１１は、操作の案内、操作の状況、読み込んだ画像データ等を表示するとともに、利用者からの指示を受け付ける。利用者は、タッチパネル付ディスプレイ１１１を介して、印刷注文する画像データの選択、画像データの画像処理の指示等を行う。
タッチパネル付ディスプレイ１１１の下部には、メディア投入口１１２および通信口１１３が設けられている。メディア投入口１１２は、各メディアの挿入口であり、複数の挿入口が１箇所にまとめて配置されている。通信口１１３は、各携帯端末と通信を行うための通信ポートであり、複数の通信ポート（赤外線ポートやUSB（Universal Serial
Bus）ポートなど）が１箇所にまとめて配置されている。
【００４８】
画像プリント装置１００の下段部の前面板１１４には、レシート取出口１１５、硬貨投入口１１６および紙幣挿入口１１７のような料金投入口、つり銭返却口１１８、プリント物取出口１１９、ドア開閉キー１２０、メンテナンスキー１２１等が設けられている。
レシート取出口１１５、硬貨投入口１１６、紙幣挿入口１１７、つり銭返却口１１８は、利用者によるプリント物の注文内容に応じた入金を要求する課金手段として機能する。利用者は、硬貨投入口１１６に硬貨を投入したり、紙幣挿入口１１７に紙幣を挿入したりすることにより、プリント物の料金を支払う。つり銭がある場合には、つり銭返却口１１８から放出される。また、料金徴収後、徴収金額や注文内容等が印刷されたレシートがレシート取出口１１５から放出される。
【００４９】
プリント物取出口１１９には、画像出力受付端末１の筐体内に設置されるプリンタにより印刷されたプリント物が排出される。ドア開閉キー１２０は、画像プリント装置１００の前面板１１４を開閉するためのキーである。メンテナンスキー１２１は、利用者が画像プリント装置１００を利用可能な運転モードと、管理者が画像プリント装置１００のメンテナンスや設定、レシートの再印刷等を行う管理モードを切り替えるためのキーである。
次に、画像プリント装置１００の基本的動作について説明する。
【００５０】
画像プリント装置１００は、入力メディアから読み込んだ画像データを液晶ディスプレイ等のタッチパネル付ディスプレイ１１１に表示する。利用者は、タッチパネル付ディスプレイ１１１に設けられたタッチパネルにより、入力メディアや携帯端末等から読み込んだ画像の中から印刷注文する画像を選択する。
第２の実施の形態において、印刷注文の内容には、「プリント」と「フォトブック」の２種類がある。「プリント」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
利用者は、タッチパネル付ディスプレイ１１１に表示された画面上で、印刷注文する画像を選択した後、印刷の実行を指示すると、画像プリント装置１００内のコンピュータが内部プリンタに画像データを転送する。
【００５１】
画像プリント装置１００は、利用者にプリント物の印刷注文に応じた料金を算出、表示し、必要に応じてレシートプリンタによりレシート（引換券）を発行し、利用者に支払いを要求する。画像プリント装置１００は、課金手段により利用者の入金が完了すると、印刷データの印刷を開始する。印刷されたプリント物は、プリント物取出口１１９から排出され、利用者に提供される。
また画像プリント装置１００は、「フォトブック」を作成する場合、印刷されたプリント物を内部製本機に搬送し、プリント物を所定の製本方法で製本する。製本されたフォトブックは、図示せぬフォトブック取出口から排出され、利用者に提供される。
なお、画像プリント装置１００は、料金算出、レシート（引換券）の発行を行うだけでなく、課金機を装備しているため、利用者に入金を要求して現金による課金処理を行うようにすることもできる。
【００５２】
図１３は、画像プリント装置１００のハードウエアの構成例を示すブロック図である。
コンピュータ１３０は、制御部１３１、記憶部１３２、入出力部１３３、通信部１３４等から構成され、各種メディア読取部１４１、通信部１４２、シャッタ１４３、モニタ１４４、コインメック１４５、ビルバリ１４６、レシートジャーナル処理部１４７、およびプリンタ１４８、および製本機１５０を制御する。
制御部１３１は、プログラムの実行を行うCPU（Central processing
Unit）と、プログラム命令あるいはデータ等を格納するためのRAM（Random Access Memory）、ROM（Read Only Memory）等で構成される。制御部１３１は、記憶部１３２等に格納されたプログラムに従って、バス１３５を介して接続された各装置を制御する。
【００５３】
記憶部１３２には、制御部１３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
プログラムのコードは、制御部１３１により必要に応じて読み出され、RAMに移され、CPUに読み出されて各種機能として実行される。
入出力部１３３は、記憶部１３２に格納されているプログラム等の更新や、画像プリント装置１００の設定等を行うメンテナンス時に用いられる。
通信部１３４は、通信制御装置、通信ポート等を有し、画像プリント装置１００と図示せぬネットワーク間の通信を媒介する通信インターフェースである。通信部１３４は、ネットワークを介して画像プリント装置１００と他の外部装置間の通信制御を行う。
【００５４】
各種メディア読取部１４１は、メディア投入口１１２の各メディアの挿入口に対応して画像出力受付端末１内部に設けられ、挿入された入力メディアに予め記憶されている画像データを読み込む。通信部１４２は、通信口１１３の各通信ポートに対応して設置されており、通信中の携帯端末に予め記憶されている画像データを読み込む。
シャッタ１４３は、メディア投入口１１２の各挿入口に設けられ、入力メディアの挿入口を開閉し、読取処理の最中や、課金処理が完了するまで、入力メディアを取り出せないようにする。モニタ１４４は、タッチパネル付ディスプレイ１１１である。
コインメック１４５、ビルバリ１４６、レシートジャーナル処理部１４７は、課金機能の役割を果たす。コインメック１４５は、硬貨投入口１１６に対応して画像出力受付端末１内部に設けられ、硬貨の入出力を管理する。ビルバリ１４６は、紙幣挿入口１１７に対応して画像プリント装置１００内部に設けられ、紙幣の入出力を管理する。
【００５５】
レシートジャーナル処理部１４７は、レシート取出口１１５に対応して画像プリント装置１００内部に設けられ、利用者の徴収金額や注文内容に応じたレシートを印刷する。
プリンタ１４８は、プリント物取出口１１９に対応して画像プリント装置１００内部に設けられ、プリント物を印刷する。プリンタ１４８は、画像データを印刷する高解像度カラープリンタであり、熱転写プリンタあるいはインクジェット型など、プリンタの方式は特に問わない。印刷紙は、シート状またはロール状である。
製本機１５０は、ローラや搬送路等を有し、プリンタ１４８で印刷されたプリント物を所定の製本方法で製本しフォトブック等の製本物を作成して出力する。
【００５６】
なお、プリンタ１４８は、画像プリント装置１００内部に設けられ、そこで印刷が行われるが、これに限らず、例えば、通信部３４およびネットワークを介して接続されたプリンタサーバに画像データを転送し、そこで印刷を行わせることも勿論可能である。また、製本機１５０も、画像プリント装置１００内部に設けられ、そこで製本が行われるが、これに限らず、例えば、図示せぬ搬送路を介して接続された外部の製本機にプリント物を搬送し、そこで製本を行わせるようにしてもよい。すなわち、画像プリント装置１００と、プリンタ１４８、製本機１５０はそれぞれ別体であってもよい。
【００５７】
図１４は、画像プリント装置１００の一連の処理を説明するフローチャート図である。
利用者が画像プリント装置１００のメディア投入口１１２より画像データの入った入力メディアを挿入すると、画像プリント装置１００は、注文受付の処理を開始する。
【００５８】
画像プリント装置１００の各種メディア読取部１４１はメディア投入口１１２に挿入された入力メディアより画像データを読み取り、記憶部１３２に格納する（ステップＳ４０１）。続いて制御部１３１は、読み取った入力画像データのサムネール画像をモニタ１４４に表示する。
画像プリント装置１００がタッチパネル付ディスプレイ１１１に表示するサムネール画面３０、落書き画面（操作前）４０、落書き画面（操作後）５０とその処理については、第１の実施の形態と同様である。
【００５９】
利用者は、タッチパネル付ディスプレイ１１１に表示されたサムネール画面３０、落書き画面（操作前）４０、落書き画面（操作後）５０から操作入力し、画像データを編集する（ステップＳ４０２）。
【００６０】
利用者が、全ての画像データの編集加工を終了して、注文を確定する（ステップＳ４０３）と、制御部１３１はプリンタ１４８に画像のプリントを命令し、プリンタ１４８は画像のプリントを開始する（ステップＳ４０４）。このとき、注文内容と使用した編集アイテムのログデータは、画像プリント装置１００の記憶部１３２に一時的に格納される。
【００６１】
プリンタ１４８が画像をプリントしている間に並行して、画像プリント装置１００は、編集アイテムの抽選をして、タッチパネル付ディスプレイ１１１に抽選画面（不図示）を表示する。画像プリント装置１００は、抽選の結果、当選編集アイテムを決定する（ステップＳ４０５）。
【００６２】
画像プリント装置１００は、当選編集アイテムと記憶部１３２に格納した注文ログデータを照らし合わせ、利用者の使用した編集アイテムの中に当選編集アイテムがあるかどうかを判定し（ステップＳ４０６）、当選編集アイテムがある場合は、当選情報の動画像をタッチパネル付ディスプレイ１１１に表示し（ステップＳ４０７）、さらに当選情報のプリント物、例えば割引券やクーポン券などをレシートジャーナル処理部１４７より出力する（ステップＳ４０８）。当選編集アイテムがない場合は、落選情報の動画像をタッチパネル付ディスプレイ１１１に表示する（ステップＳ４０９）。
【００６３】
当選情報および落選情報の動画像が再生し終わると、画像プリント装置１００は、画像のプリント物をプリント物取出口１１９に出力して（ステップＳ４１０）、処理を終了する。
【００６４】
尚、当選した場合の割引券やクーポン券などの出力を、画像のプリント処理が終了した後にプリンタ４８より出力することで、当たり券に高級感を出すこともできる。
また、当選情報や落選情報の動画像の再生時間は画像プリントの出力時間に合わせて調整し、利用者を動画像に引きつけて飽きさせないようにしてもよい。
さらに、当選編集アイテムは、画像プリント装置１００を設置している店舗の管理者等が予め設定して記憶部１２に格納しておくのでもよい。
【００６５】
［発明の実施の形態における効果］
１．以上のように、利用者が通常行う画像データの編集操作の中で選択した編集アイテムに抽選機能を持たせることで、利用者は特別な作業や負担がなく抽選に参加できるという付加価値があり、楽しみながら利用することができる。
２．利用者の注文ログと当選情報を管理することで、より充実したサービスが提供でき、また、利用者の維持やリピートオーダーにつなげることができる。
３．利用者の注文内容に応じて当選編集アイテムが決定することにより、利用時のワクワク感やサプライズ感を演出することができる。
４．プリント時に抽選画面を表示したり、抽選結果の動画像を表示したりすることで、利用者はプリントの待ち時間をストレスなく楽しみながら利用することができる。
【００６６】
以上、添付図面を参照しながら、本発明に係る画像プリントシステム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６７】
１………画像プリントシステム
２………サーバ
３………端末
１００………画像プリント装置
【図１】
0005732897.tif 000002
【図２】
0005732897.tif 000003
【図３】
0005732897.tif 000004
【図４】
0005732897.tif 000005
【図５】
0005732897.tif 000006
【図６】
0005732897.tif 000007
【図７】
0005732897.tif 000008
【図８】
0005732897.tif 000009
【図９】
0005732897.tif 000010
【図１０】
0005732897.tif 000011
【図１１】
0005732897.tif 000012
【図１２】
0005732897.tif 000013
【図１３】
0005732897.tif 000014
【図１４】
0005732897.tif 000015